(57)【要約】【課題】  画面上で試験条件を設定する方式の強度試験システムにおいて、その試験条件の設定操作を従来に比して大幅に簡素化し、オペレータの負担を軽減することのできる強度試験システムを提供する。【解決手段】  制御装置８に接続されたパーソナルコンピュータ９の試験条件の設定画面を、全ての設定項目を表示するための全設定項目表示画面１０と、一部の設定項目を選択的に表示する選択設定項目表示画面１１によって構成し、全設定項目表示画面１０上に表示されている設定項目の任意のものをドラッグドロップによって選択設定項目表示画面１１上の任意の位置に表示できるように構成することで、ユーザーが必要とする設定項目のみを選択設定項目表示画面１１上に任意のレイアウトで表示することを可能とし、その選択設定項目表示画面１１上で条件の設定を行うことにより、試験条件の設定作業における項目の選択候補を当初から大幅に絞り込んだものとし、その作業性を改善する。【選択図】  図２
2006177700.tif 000002
【特許請求の範囲】
【請求項１】
被試験体に対して負荷を加える負荷機構と、その負荷機構を制御する制御装置と、その制御装置に接続され、データ処理および試験条件の設定を行うパーソナルコンピュータを備えた強度試験システムにおいて、
上記パーソナルコンピュータの試験条件の設定画面が、全ての設定項目を表示するための全設定項目表示画面と、一部の設定項目を選択的に表示する選択設定項目表示画面を含み、上記全設定項目表示画面上に表示されている設定項目の任意のものをドラッグドロップ操作により上記選択設定項目表示画面上の任意の位置に表示できるように構成されていることを特徴とする強度試験システム。
【発明の詳細な説明】
【技術分野】
【０００１】
本発明は、各種製品や部品、あるいは材料などの被試験体に対して引張、圧縮、あるいは曲げなどの負荷を加えて、その被試験体の強度試験を調査するための強度試験システムに関する。
【背景技術】
【０００２】
各種製品や部品等に引張・圧縮・曲げなどの負荷を加えてその強度を調査する材料試験機等の装置においては、一般に、試験に先立って試験を行うための各種条件、例えば負荷機構の動作条件などを設定し、その設定された条件に従って負荷機構を駆動制御する。
【０００３】
このような試験機において、従来、試験条件の設定を画面上で行うようにしたものが知られている（例えば特許文献１参照）。この特許文献１に開示されている材料試験機においては、試験条件を決定する複数の項目を、あらかじめ分類した項目群ごとに表示する複数の設定内容画面を用意するとともに、その各項目の条件を設定するための複数の試験条件設定画面を備えるとともに、各設定内容画面を順次表示させるためのタブ情報を設けて、タブ情報に従って所要の設定内容画面を呼び出し、試験条件設定画面により各項目を設定するように構成している。
【特許文献１】特開平１１−２８１５５３号公報
【発明の開示】
【発明が解決しようとする課題】
【０００４】
ところで、以上のような条件設定画面では、その装置が持つ全ての設定項目を表示する画面群のなかから、オペレータが該当の画面を選択し、更にその画面のなかから所要の項目を選択して具体的な設定を行っていく必要がある。
【０００５】
装置が持つ全ての設定項目のなかには、あるユーザーには必要であるが、他のユーザーにおいては不要という項目も多数ある。また、各設定項目はメーカー側が定めた項目ごとに画面に表示され、かつ、その画面上での各項目の位置についてもメーカー側が定めた通りとなっている。このようなことから、オペレータは、試験条件の設定ごとに、多数の項目のなかから必要な設定項目を探し出して設定しなければならず、その操作が煩雑であるばかりでなく、条件設定には装置の操作知識と慣れが必要であるという問題があった。
【０００６】
本発明はこのような実情に鑑みてなされたもので、画面上で試験条件を設定する方式の強度試験システムにおいて、その試験条件の設定操作を従来に比して大幅に簡素化し、もってオペレータの負担を軽減することのできる強度試験システムの提供をその課題としている。
【課題を解決するための手段】
【０００７】
上記の課題を解決するため、本発明の強度試験システムは、被試験体に対して負荷を加える負荷機構と、その負荷機構を制御する制御装置と、その制御装置に接続され、データ処理および試験条件の設定を行うパーソナルコンピュータを備えた強度試験システムにおいて、上記パーソナルコンピュータの試験条件の設定画面が、全ての設定項目を表示するための全設定項目表示画面と、一部の設定項目を選択的に表示する選択設定項目表示画面を含み、上記全設定項目表示画面上に表示されている設定項目の任意のものをドラッグドロップにより上記選択設定項目表示画面上の任意の位置に表示できるように構成されていることによって特徴づけられる。
【０００８】
本発明は、試験条件の全ての設定項目を表示するための画面のほかに、その各設定項目のなかから任意に選択された項目のみを任意の位置に表示する画面を用意することにより、そのユーザーにとって必要な設定項目のみを表示する画面を作ること、つまり条件設定のための画面をカスタマイズすることを容易とし、課題を解決しようとするものである。  すなわち、本発明においては、全ての設定項目を表示するための全設定項目表示画面から、ドラッグドロップにより任意の設定項目を選択して選択設定項目表示画面の任意の位置に表示できるように構成することで、ユーザーが必要とする設定項目のみが任意の順序等で配列表示された設定用の画面を作ることができ、設定項目のカスタマイズが可能となり、全設定項目表示画面から所要項目を探し出す必要がなくなる。
【発明の効果】
【０００９】
本発明によれば、全設定項目表示画面のなかから、ドラッグドロップにより任意に選択された設定項目のみを任意の位置に表示する選択設定項目表示画面を有しているので、試験条件の設定に際して、従来に比して設定候補が大幅に絞り込まれた状態となっていることになり、設定の作業性が大幅に向上する。しかも、選択設定項目表示画面は、設定項目を任意の位置に表示できるため、例えば設定操作の流れに応じた順で設定項目を配置するなど、ユーザーにとって最も使いやすい画面とすることができ、条件設定操作をよりスムーズに行うことが可能となる。
【発明を実施するための最良の形態】
【００１０】
以下、図面を参照しつつ本発明の実施の形態について説明する。
図１は本発明をばね試験機に適用した実施の形態の全体構成図である。
【００１１】
基台１に対して２本のねじ棹２ａ，２ｂが垂直に回転自在に支持されており、この各ねじ棹２ａ，２ｂは、基台１内に設けられているモータ３と伝達機構により互いに同期した回転が与えられる。これらのねじ棹２ａ，２ｂには、クロスヘッド４に回転自在に支持されたナット（図示せず）がねじ込まれており、これにより、モータ３を駆動してねじ棹２ａ，２ｂを回転させることによって、クロスヘッド４が上下動する。
【００１２】
この図１の例は圧縮コイルばねを被試験体Ｗとした例を示すものであって、基台１の上面およびクロスヘッド４の下面には、互いに対向するように圧盤５ａ，５ｂが取り付けられており、被試験体Ｗである圧縮コイルばねはこれらの圧盤５ａ，５ｂの間に挟み込まれた状態で試験に供される。
【００１３】
クロスヘッド４の上下動により被試験体Ｗに作用する刻々の荷重は、クロスヘッド４に配置されているロードセル６によって検出され、また、クロスヘッド４の刻々の位置は位置センサ７によって検出される。これらの各検出出力は制御装置８に取り込まれる。制御装置８ではこれらの各検出出力のうち、制御量に選択されている検出出力を、後述する試験条件の設定操作により選択されて自ら発生する目標値信号にフィードバックすることにより、モータ３を駆動制御する。
【００１４】
制御装置８はパーソナルコンピュータ９と接続されており、このパーソナルコンピュータ９は、制御装置８を介してロードセル６による刻々の荷重検出出力と位置センサ７による刻々のクロスヘッド４の位置検出出力を取り込み、これらのデータをあらかじめ設定されている処理条件のもとにデータ処理するとともに、このパーソナルコンピュータ９の操作によって制御装置８の動作条件をはじめとする試験条件を設定することができる。
【００１５】
すなわち、パーソナルコンピュータ９には、試験条件を設定するための画面が用意されており、その設定画面は、図２にそのコンピュータ９の表示器９ａの表示状態を概念的に的に示すように、全ての設定項目を表示するための全設定項目表示画面１０と、その各設定項目のなかから選択されたもののみを表示する選択設定項目表示画面１１によって構成される。
【００１６】
全設定項目表示画面１０は、それぞれ関連する複数の設定項目をそれぞれ表示する複数の画面（頁）からなり、画面上の複数の選択スイッチ１０１をクリックすることによって、該当の項目群を表示する画面が表示される。
【００１７】
選択設定項目表示画面１１は、全設定項目表が画面１０と同じ画面上に表示することができ、この選択設定項目表示画面１１は、全設定項目表示画面１０を構成する全ての画面に表示されている多数の設定項目のなかから、選択された項目のみが表示される。その項目の選択に当たっては、図２に示すように、全設定項目表示画面１０に表示されている設定項目のうち任意の項目をドラッグし、選択設定項目表示画面１１上の任意の位置にドロップすることにより、その設定項目が選択設定項目表示画面１１上のドロップ位置に表示される。そのドラッグドロップ後の選択設定項目表示画面１１を図３に例示する。この例では、「自由高さ」の設定項目をドラッグドロップにより選択設定項目表示画面１１上に表示するように操作した例を示している。そして、この選択設定項目表示画面１１には、具体的設定を行うための設定スイッチ１１１などが併せて表示されており、設定すべき項目を選択した後に設定スイッチ１１１をクリックし、テンキーなどで具体的な設定内容を入力することによって、その項目の設定を実行することができる。このように設定された内容は、全設定項目表示画面１０上の該当の設定項目に反映される。
【００１８】
以上の本発明の実施の形態によると、メーカーが用意した設定可能な全ての設定項目のなかから、ユーザーが必要とする設定項目のみを選択設定項目表示画面１１上に表示して、その選択設定項目表示画面１１上で各項目について設定することができるため、試験の設定操作が従来に比して、項目の選択候補が大幅に絞りこまれ、試験条件の設定操作の作業性を大幅に改善することができる。しかも、選択設定項目表示画面１１では、各項目を任意の位置に表示することができるので、例えば設定操作の流れ順に項目を配置するなど、ユーザーが使いやすい画面設定とすることができる。
【００１９】
なお、以上の実施の形態においては、本発明をばね試験機に適用した例を示したが、本発明は、疲労試験や引張試験、圧縮試験、曲げ試験など、各種の強度試験システムに適用し得ることは勿論である。
【図面の簡単な説明】
【００２０】
【図１】本発明の実施の形態の全体構成図である。
【図２】本発明の実施の形態におけるパーソナルコンピュータ９の設定画面の表示例を示す概念図である。
【図３】図２の設定により更新された選択設定項目表示画面１１の表示例を示す図である。
【符号の説明】
【００２１】
１  基台
２ａ，２ｂ  ねじ棹
３  モータ
４  クロスヘッド
５ａ，５ｂ  圧盤
６  ロードセル
７  位置センサ
８  制御装置
９  パーソナルコンピュータ
９ａ  表示器
１０  全設定項目表示画面
１１  選択設定項目表示画面
【図１】
2006177700.tif 000003
【図２】
2006177700.tif 000004
【図３】
2006177700.tif 000005